(57)【要約】【課題】ユーザの誤操作を防ぎ、所望の読み取り・印刷処理が適切に行えるようにすること。【解決手段】複合機が実現可能な複数の機能に対して、両面反転読取モード、両面同時読取モードのそれぞれのモードに適切な機能を区別してメモリ部に記憶させる。制御部は両面反転読取モードが選択されているときは、両面同時読取モードに適した機能キーを色を変えて表示部５１に表示させると共に、当該キーの選択入力を禁止する。また、両面同時読取モードが選択されているときは、両面反転読取モードに適した機能キーを色を変えて表示部５１に表示させると共に、当該キーの選択入力を禁止する。【選択図】図１０
2009088598.tif 000002
【特許請求の範囲】
【請求項１】
給紙された原稿の一方の面を読み取る第１読取手段と、
前記原稿の他方の面を読み取る第２読取手段と、
前記第１読取手段による前記原稿の一方の面の読み取りが終わった後、前記第１読取手段が前記原稿の他方の面を読み取り可能なように前記原稿を反転して給紙する反転手段と、
前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードのうち、何れか一方を設定するモード設定手段と、
前記第１読取手段及び前記第２読取手段によって取得された画像データに対して予め定められた処理を施す複数の機能のうち、ユーザが所望する機能の選択入力を受け付ける機能入力手段と、
前記複数の機能を、前記両面反転読取モードに適した機能と、前記両面同時読取モードに適した機能とに区別して記憶する機能記憶手段と、
前記モード設定手段によって前記両面反転読取モードが設定されているとき、前記機能入力手段に前記両面同時読取モードに適した機能の選択入力の受付を禁止させ、前記モード設定手段によって前記両面同時読取モードが設定されているとき、前記機能入力手段に前記両面反転読取モードに適した機能の選択入力の受付を禁止させる制御を行う選択禁止制御手段と、
を備える画像読取装置。
【請求項２】
前記両面反転読取モード又は前記両面同時読取モードを選択するための入力を受け付けるハードキーを更に備え、前記ハードキーが押下されるごとに、前記モード設定手段は前記両面反転読取モード又は両面同時読取モードに切り換えて設定することを特徴とする請求項１に記載の画像読取装置。
【請求項３】
前記機能入力手段は、ユーザに対して所定の操作画面を表示する表示手段と、前記表示手段と一体的に形成されたタッチパネルと、前記タッチパネルへタッチ入力された際のタッチ位置を検出する位置検出手段を有し、
前記機能を選択するためのキーを前記表示手段に表示させる表示制御手段を更に備え、
前記表示制御手段は、前記モード設定手段によって前記両面反転読取モードが設定されているときは前記両面同時読取モードに適した機能を選択するためのキーを非表示とするか又は操作不可を示す表示とし、前記両面同時読取モードが設定されているときは前記両面反転読取モードに適した機能を選択するためのキーを非表示とするか又は操作不可を示す表示にすることを特徴とする請求項１又は２に記載の画像読取装置。
【請求項４】
前記第１読取手段は縮小光学系イメージセンサを有し、前記第２読取手段は密着光学系イメージセンサを有することを特徴とする請求項１〜３の何れか一項に記載の画像読取装置。
【請求項５】
請求項１から４の何れか一項に記載の画像読取装置と、
前記第１読取手段及び前記第２読取手段によって取得された画像データに基づいて記録媒体に画像を形成する画像形成手段と、
を備えた画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等が有するＡＤＦ（Automatic Document Feeder：自動原稿送り機能）を備えた画像読取装置において、画像読取部に原稿の表面及び裏面を自動的に読み取らせる方法として、原稿の表面の画像をイメージセンサが読み取った後、その原稿の表裏を反転させて、裏面の画像を再度イメージセンサが読み取る方法が広く採用されている。しかしこの方法は、イメージセンサが原稿の表面を読み取った後、一旦原稿が外部に排出されて表裏反転され、再度イメージセンサが原稿の裏面を読み取るため、両面の読み取りに時間がかかっていた。
【０００３】
そこで、特許文献１〜３に記載されているように、原稿トレイからの原稿搬送路において原稿の表裏両面側にそれぞれイメージセンサを設けることで、原稿を反転させることなく１回の原稿給紙（ワンパス）で原稿の両面をほぼ同時に読み取る方法が知られている。このように原稿の両面をほぼ同時に読み取る方法を採用した画像読取装置では、原稿の表面の読み取りは縮小光学系イメージセンサが用いられる場合が多く、原稿の裏面の読み取りは、設置スペース、コスト等の関係上、密着光学系イメージセンサが用いられる場合が多い。しかし、原稿の表裏面を読み取るイメージセンサの光学的構成が異なると、印刷用紙の表裏面に形成された画像の画質に差が生じてしまう。
【０００４】
従って、以上のような画像読取装置においては、ユーザが原稿の両面の読取方法を選択できるようになっている。つまり、原稿の表裏面を別々に読み取るため画像の読み取りには時間がかかるが、用紙の表裏面の画質を同一にするために同じイメージセンサ（縮小光学系イメージセンサ）で原稿の表裏面を読み取らせる両面反転読取モードと、画像の読取時間の短縮化を優先させるために原稿の表裏面を縮小光学系と密着光学系の２つのイメージセンサを用いてほぼ同時に読み取らせる両面同時読取モードの２つのモードを設けて、ユーザが任意に選択できるようになっている。
【０００５】
また、上記のような画像読取装置や該画像読取装置を備えた画像形成装置は利便性を向上させるため多数の機能を備えたものが多く、ユーザが原稿の読み取りや印刷を行わせる際に機能を自由に選択できる。例えば、カラー原稿を読み取った後に取得した画像データに対してカラーに適した画像処理を施す機能、写真原稿を読み取った後に取得した画像データに対して写真に適した画像処理を施す機能、画像の輪郭を調整し文字や線を鮮明にする画像処理を施す機能などがある。これらの機能を実行させることによって、印刷画像の画質を向上させることができる。更に、読み取られた原稿２枚分の画像を１枚の印刷用紙に集約して印刷する機能や、使用するトナーを最小限に抑えて印刷する機能などがある。
【特許文献１】特開２０００−１８８６６５号公報
【特許文献２】特開２００３−４３８６６号公報
【特許文献３】特開２００４−１５２２９号公報
【発明の開示】
【発明が解決しようとする課題】
【０００６】
しかしながら、上記のような多数の機能のうち、両面反転読取モード、両面同時読取モードでは実現が難しい又は適切でない機能がそれぞれ存在する。しかしながら、一般的にユーザはどの読取モードのときにどの機能が適切か不適切かは把握していない。従って、ユーザによって適切でない機能が選択されるケースが発生し、この場合機能の効果を十分発揮させることができなくなる。また、機能が多くなるほどユーザが誤操作しやすくなり、所望の原稿読み取り、印刷処理がしづらくなっていた。
【０００７】
本発明は、上記の問題を解決するためになされたもので、ユーザの誤操作を防ぎ、各読取モードに適した機能の選択をユーザが適切に行える画像読取装置及び画像形成装置を提供することを目的とするものである。
【課題を解決するための手段】
【０００８】
請求項１に記載の発明の画像読取装置は、給紙された原稿の一方の面を読み取る第１読取手段と、前記原稿の他方の面を読み取る第２読取手段と、前記第１読取手段による前記原稿の一方の面の読み取りが終わった後、前記第１読取手段が前記原稿の他方の面を読み取り可能なように前記原稿を反転して給紙する反転手段と、前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードのうち、何れか一方を設定するモード設定手段と、前記第１読取手段及び前記第２読取手段によって取得された画像データに対して予め定められた処理を施す複数の機能のうち、ユーザが所望する機能の選択入力を受け付ける機能入力手段と、前記複数の機能を、前記両面反転読取モードに適した機能と、前記両面同時読取モードに適した機能とに区別して記憶する機能記憶手段と、前記モード設定手段によって前記両面反転読取モードが設定されているとき、前記機能入力手段に前記両面同時読取モードに適した機能の選択入力の受付を禁止させ、前記モード設定手段によって前記両面同時読取モードが設定されているとき、前記機能入力手段に前記両面反転読取モードに適した機能の選択入力の受付を禁止させる制御を行う選択禁止制御手段と、を備えることを特徴としている。
【０００９】
この請求項１に記載の発明によれば、両面反転読取モードを選択しているときは両面同時読取モードでの読み取りが適切な機能、両面同時読取モードが選択されているときは両面反転読取モードでの読み取りが適切な機能の選択入力を禁止することにより、ユーザが適切でない機能を選択して読み取り・印刷を失敗してしまうことを防ぐことができる。ここで、第１読取手段及び第２読取手段を構成するイメージセンサは、同じ種類のイメージセンサであっても構わない。
【００１０】
請求項２に記載の発明は、請求項１に記載の画像読取装置であって、前記両面反転読取モード又は前記両面同時読取モードを選択するための入力を受け付けるハードキーを更に備え、前記ハードキーが押下されるごとに、前記モード設定手段は前記両面反転読取モード又は両面同時読取モードに切り換えて設定することを特徴としている。
【００１１】
この請求項２に記載の発明によれば、ユーザはハードキーの操作によって読取モードの切り換えを簡単に行うことができる。
【００１２】
請求項３に記載の発明は、請求項１又は２に記載の画像読取装置であって、前記機能入力手段は、ユーザに対して所定の操作画面を表示する表示手段と、前記表示手段と一体的に形成されたタッチパネルと、前記タッチパネルへタッチ入力された際のタッチ位置を検出する位置検出手段を有し、前記機能を選択するためのキーを前記表示手段に表示させる表示制御手段を更に備え、前記表示制御手段は、前記モード設定手段によって前記両面反転読取モードが設定されているときは前記両面同時読取モードに適した機能を選択するためのキーを非表示とするか又は操作不可を示す表示とし、前記両面同時読取モードが設定されているときは前記両面反転読取モードに適した機能を選択するためのキーを非表示とするか又は操作不可を示す表示にする制御を行うことを特徴としている。
【００１３】
この請求項３に記載の発明によれば、設定されている読取モードに対して適していない機能のキーを例えば色を変えて表示する等してユーザが視認しやすくなるよう表示したり、又は非表示とすることにより、ユーザの操作ミスを防ぐことができ、使い勝手を向上させることができる。
【００１４】
請求項４に記載の発明は、請求項１〜３の何れか一項に記載の画像読取装置であって、前記第１読取手段は縮小光学系イメージセンサを有し、前記第２読取手段は密着光学系イメージセンサを有することを特徴としている。
【００１５】
この請求項４に記載の発明によれば、請求項１〜３に記載の発明の効果と同様の効果を奏することができる。尚、第１読取手段は縮小光学系イメージセンサを有し、第２読取手段は密着光学系イメージセンサを有することとしたが、その逆であってもよい。
【００１６】
請求項５に記載の発明の画像形成装置は、請求項１から４の何れか一項に記載の画像読取装置と、前記第１読取手段及び前記第２読取手段によって取得された画像データに基づいて記録媒体に画像を形成する画像形成手段と、を備えたことを特徴としている。
【００１７】
この請求項５に記載の発明によれば、画像形成装置が備える画像読取装置が請求項１から４に記載の発明の作用効果を享受することができる。
【発明の効果】
【００１８】
請求項１に記載の発明によれば、両面反転読取モードを選択しているときは両面同時読取モードでの読み取りが適切な機能、両面同時読取モードが選択されているときは両面反転読取モードでの読み取りが適切な機能の選択入力を禁止することにより、ユーザが適切でない機能を選択して読み取り・印刷を失敗してしまうことを防ぐことができる。
【００１９】
請求項２に記載の発明によれば、両面反転読取モードと両面同時読取モードの切り換えを行うハードキーを配置することにより、ユーザはハードキーの操作によって読取モードの切り換えを簡単に行うことができる。
【００２０】
請求項３に記載の発明によれば、設定されている読取モードに対して適していない機能のキーを例えば色を変えて表示する等してユーザが視認しやすくなるよう表示したり、又は非表示とすることにより、ユーザの操作ミスを防ぐことができ、使い勝手を向上させることができる。
【００２１】
請求項４に記載の発明によれば、請求項１から３に記載の発明の効果と同様の効果を奏することができる。
【００２２】
請求項５に記載の発明によれば、画像形成装置が備える画像読取装置が請求項１から４に記載の発明の作用効果を享受することができる。
【発明を実施するための最良の形態】
【００２３】
以下、本発明の一実施形態に係る画像読取装置及び画像形成装置について図面を参照して説明する。尚、以下の実施形態では、本発明における画像読取装置及び画像形成装置を、コピー、スキャナ、ファクシミリ、プリンタ等の機能を備えた複合機に集約した形態を例に説明する。
【００２４】
図１は本実施の形態における複合機１の内部構成を模式的に示した縦断面図である。複合機１は大きく分けると画像読取装置２と装置本体３とからなる。画像読取装置２は、原稿給紙部２１とスキャナ部（第１読取手段）２２を備えて構成される。原稿給紙部２１はＡＤＦを実現するものであり、原稿トレイ２１１、給紙ローラ２１２、搬送ドラム２１３、排紙ローラ２１４及び排紙トレイ２１５を有する。原稿トレイ２１１は原稿が載置される場所であり、原稿トレイ２１１に載置された原稿は１枚ずつ給紙ローラ２１２によって取り込まれて搬送ドラム２１３へ搬送される。搬送ドラム２１３を経由した原稿は排紙ローラ２１４によって排紙トレイ２１５へ排出される。
【００２５】
スキャナ部２２は、原稿の画像を光学的に取得して画像データを生成するものであり、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を有する。また、本実施の形態では、第１読取手段が有する縮小光学系イメージセンサとしてＣＣＤ２２９を用いたものを例に説明するが、ＣＣＤ以外にＣＭＯＳ（Complementary Metal Oxide Semiconductor）イメージセンサを用いたものであってもよい。
【００２６】
プラテンガラス２２１は原稿を載置する場所であり、光源２２２及び第１ミラー２２３は第１キャリッジ２２６によって支持され、第２ミラー２２４及び第３ミラー２２５は第２キャリッジ２２７によって支持されている。
【００２７】
ここで、画像読取装置２の原稿読取方法として、プラテンガラス２２１上に載置された原稿をスキャナ部２２が読み取るフラットベッド読取モードと、原稿をＡＤＦによって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００２８】
ＡＤＦ読取モードでは、給紙トレイ２１１に載置された原稿が給紙ローラ２１２によって１枚ずつ取り込まれ、搬送ドラム２１３から排紙トレイ２１５への搬送経路に設けられた読取窓２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。尚、以下の説明において、特に記載のないものについては、ＡＤＦ読取モードによって原稿を自動給紙し、画像の読み取りを行うことを前提に説明を行う。
【００２９】
更に、原稿給紙部２１は切換ガイド２１６、反転ローラ２１７及び反転搬送路２１８からなる原稿反転機構（反転手段）を有する。１回目のＡＤＦ読み取りによって表面（原稿の一方の面）が読み取られた原稿を原稿反転機構を用いて反転させて再搬送することによって、再度ＣＣＤ２２９によって裏面（原稿の他方の面）の読み取りが行わせることができる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７のニップ部へ搬送される。その後、切換ガイド２１６は上側へ切り替わって反転ローラ２１７が逆回転することにより、原稿は反転搬送路２１８を介して搬送ドラム２１３へ再搬送される。以下、原稿反転機構を用いて原稿の両面を読み取らせるモードを両面反転読取モード又は高画質モードと表記する。
【００３０】
更に、本実施の形態の画像読取装置２は、ＡＤＦ読取モード時において、上記で説明したように原稿の搬送途中でＣＣＤ２２９によって原稿の表面の読み取りを行わせると同時に、ＣＩＳ（第２読取手段）２３１によって原稿の裏面の読み取りを行わせることが可能である。つまり、給紙トレイ２１１から給紙された原稿は読取窓２３０上を通過するときにＣＣＤ２２９によって表面が読み取られ、更にＣＩＳ２３１を通過する際に裏面が読み取られる。このようにＣＣＤ２２９とＣＩＳ２３１を用いることでワンパスで原稿の両面の読み取りが可能となる。以下、ＣＣＤ２２９とＣＩＳ２３１を用いて原稿の両面を読み取らせるモードを両面同時読取モード又は高速モードと表記する。
【００３１】
ここで、両面反転読取モード（高画質モード）と両面同時読取モード（高速モード）について説明する。両面反転読取モードでは原稿両面の読み取りが同じイメージセンサ（ＣＣＤ２２９）によって行われるため、読み取った表裏面それぞれの画像の画質に差はない。しかし、両面同時読取モードでは原稿の表面はＣＣＤ２２９、裏面はＣＩＳ２３１という異なるイメージセンサで読み取りが行われるため、それぞれのイメージセンサが取得した画像データに基づいて両面印刷を行うと、両面の印刷画像の画質に差が生じてしまう。特にカラー印刷を行うと読み取った表裏面それぞれの画質の差が顕著に表れる。原因としては、スキャナ部２２は光源２２２として冷陰極蛍光管等の白色蛍光ランプを用いていることに対し、ＣＩＳ２３１は光源として３色ＬＥＤ等（不図示）を用いている。この光源の違いにより、スキャナ部２２による画像読み取りの方が色再現性に優れていることが知られている。また、これら各光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質の差の原因となっていると考えられている。
【００３２】
従って、本実施の形態の複合機１においては、ＡＤＦを用いて原稿の両面読み取りを行う際、ユーザは高画質モード（両面反転読取モード）又は高速モード（両面同時読取モード）の何れかを選択することができる。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）と、ユーザは状況に応じてモードを選択することができる。
【００３３】
尚、本実施の形態においては、スキャナ部２２は第１読取手段に相当し、ＣＩＳ２３１は第２読取手段に相当するものとして説明するが、その逆の構成であっても構わない。更に、第１読取手段及び第２読取手段が同じ光学系イメージセンサで構成されていても構わない。
【００３４】
複合機１の構成の説明に戻る。複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成手段）４０へ搬送する給紙ローラ４６２と、給紙カセット４６１から搬送されてきた用紙に画像を形成する記録部４０とを備える。更に手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３５】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ４６３及び４６４等が設けられている。
【００３６】
用紙の両面に画像を形成する場合は、記録部４０によって用紙の一方の面に画像の形成が施された後、この用紙を排出トレイ４８側の搬送ローラ４６３にニップされた状態にする。この状態で搬送ローラ４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００３７】
また、装置本体３の前方には、ユーザが操作画面や各種メッセージ等を視認することができる表示部や、種々の操作命令を入力するための操作ボタンを有する操作部５が備えられている。図２及び３は操作部５の正面図の一例である。操作部５は、表示部（表示手段）５１、タッチパネル（機能入力手段、位置検出手段）５２、数字キー群５３、各種操作ボタン５４〜５７、機能選択ボタン５８、両面同時ボタン５９等を備える。表示部５１は、ＬＣＤ（Liquid Crystal Display）やＥＬＤ（Electronic Luminescent Display）等によって構成され、紙サイズ選択、倍率選択、濃度選択等の選択画面が表示される。この表示部５１はタッチパネル５２と一体的に形成されている。タッチパネル５２は、ユーザによるタッチ操作がなされたら、タッチ位置を検出して検出信号を後述する制御部へ出力するものである。
【００３８】
数字キー群５３は、例えば、複合機１のコピー機能動作中はコピー枚数を、ファクシミリ機能動作中は送信先の電話番号等をユーザが入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００３９】
両面同時ボタン５９は、両面同時読取モードのモード設定の切り換えを行うボタンである。両面同時ボタン５９には例えばＬＥＤ等の発光素子が内蔵されており、両面同時ボタン５９のオン／オフによってＬＥＤの発光状態が切り換わる。オフ状態のとき、図２に示すように内蔵されている発光素子は非点灯の状態となり、読取モードとして両面反転読取モードが設定される。そしてユーザが両面同時ボタン５９を押下（オン）すると、図３に示すように内蔵されている発光素子が点灯状態となり、読取モードとして両面同時読取モードが設定される。両面同時ボタン５９のように、両面反転読取モードと両面同時読取モードの切り換えを行うハードキーを配置することにより、ユーザはこのハードキーの操作によって読取モードの切り換えを簡単に行うことができる。
【００４０】
図４は、複合機１の電気的構成を示すブロック図である。複合機１は、原稿給紙部２１、スキャナ部２２、ＣＩＳ２３１、操作部５、制御部（モード設定手段、選択禁止制御手段、表示制御手段）６１、画像処理部６４、記録部４０、メモリ部（機能記憶手段）６５及び通信部６６を備えて構成される。尚、図１及び図２において説明した構成要素と同じものには同じ符号を付して詳しい説明を省略する。
【００４１】
原稿給紙部２１は、原稿トレイ２１１に載置された原稿を自動的に取り込んで、ＣＣＤ２２９やＣＩＳ２３１による原稿の読み取りが可能なように搬送するものであり、ＡＤＦを実現するものである。スキャナ部２２及びＣＩＳ２３１は、原稿の画像を光学的に取得して画像データを生成するものである。
【００４２】
操作部５は、コピー機能、スキャナ機能、ファクシミリ機能及びプリンタ機能等に関する操作入力を受け付けるものである。そして操作入力に応じた操作信号を制御部６１へ出力する。操作部５は、図２に示すタッチパネル５２、数字キー群５３、操作ボタン５４〜５７、機能選択ボタン５８、両面同時ボタン５９等に相当し、更に操作部５は表示部５１を含む。ユーザが表示部５１に表示された操作キーの上を押下すると、表示部５１と一体的に構成されたタッチパネル５２が押下された位置を検出し、位置情報を制御部６１へ出力する。そして制御部６１によって押下されたキーに対応する処理が行われる。
【００４３】
制御部６１は、ＣＰＵ等によって構成され、入力された指示信号等に応じて所定のプログラムに基づいた処理を実行し、各機能部への指示信号の出力、データ転送等を行って複合機１を統括的に制御するものである。具体的には、制御部６１は複合機１が実行可能な複数の機能からユーザが所望の機能を選択するためのキーを表示部５１に表示させる。ユーザによって機能キーが押下されるとタッチパネル５２から位置情報が出力され、その位置情報に基づいて制御部６１は押下されたキーを識別する。更に制御部６１は、両面同時ボタン５９のオン／オフに基づいて読取モードを設定し、スタートボタン５５の押下によるコピー開始の指示操作に応じて、原稿給紙部２１、スキャナ部２２及びＣＩＳ２３１を制御して原稿の読み取りを行わせる。そしてスキャナ部２２及びＣＩＳ部２３１によって取得された画像データに対し、選択された機能に対応する所定の処理を施す。
【００４４】
ここで、複合機１が備える機能の一例として、例えばカラーモードや写真モード、集約コピー、トナー節約コピー、シャープネス調整機能等がある。カラーモードはカラー原稿を読み取った後に取得された画像データに対して後述する画像処理部６４がカラーに適した画像処理を施す機能であり、写真モードは写真原稿を読み取った後に取得された画像データに対して画像処理部６４が写真に適した画像処理を施す機能である。集約コピーは原稿２枚分の画像データに対して画像処理部６４が１枚の印刷用紙に集約してコピーできるように縮小処理を施す機能であり、トナー節約コピーは記録部４０に対して使用するトナーを最小限に抑えてコピーさせる機能である。シャープネス調整機能は、画像の輪郭を調整する機能であり、ぼやけた文字や線が鮮明にコピーされる機能である。
【００４５】
更に制御部６１は、後述するメモリ部６５に記憶されているモード別機能禁止テーブル６５１に基づいて、両面同時ボタン５９がオフのとき（つまり両面反転読取モードが選択されているとき）は、両面同時読取モードに適した機能のキー、両面同時ボタン５９がオンのとき（つまり両面同時読取モードが選択されているとき）は、両面反転読取モードに適した機能キーの選択入力を受け付けないと共に、選択できないことをユーザが視認できるように色を変化させて表示部５１に表示させる。このように読取モードに応じて適切でない機能の選択入力を禁止させることにより、ユーザの操作ミスを防ぐことができる。更に、選択入力ができない機能キーをユーザが視認できることによって、ユーザが適切でない機能を選択して読み取り・印刷が失敗してしまうことを防ぐことができる。
【００４６】
画像処理部６４は、画像データに関する各種画像処理を行うものである。例えば、画像処理部６４は、スキャナ部２２やＣＩＳ２３１によって取得された画像データや、外部装置から通信部６６を介して転送された画像データに対して、レベル補正、ガンマ補正等の補正処理、画像データの圧縮又は伸長処理、拡大又は縮小処理などの画像加工処理を行う。更に、ユーザによって選択された機能に従って、画像データに対して所定の画像処理を施す。
【００４７】
記録部４０は、スキャナ部２２によって得られた画像データや、外部装置から通信部６６を介して転送された画像データに基づいた画像を所定の用紙に白黒又はカラーで印刷する。
【００４８】
メモリ部６５は、制御部６１が複合機１全体を制御するために必要な各種プログラムやデータ等を記憶するものであり、例えば半導体メモリ等で構成されている。メモリ部６５は少なくともモード別機能禁止テーブル６５１を記憶する。図５はモード別機能禁止テーブル６５１のデータ構成を示した図である。モード別機能禁止テーブル６５１には、複合機１が備える機能のうち、両面反転読取モード、両面同時読取モードのそれぞれに適した機能が区別されて記憶されている。例えば、両面反転読取モードに適した機能として、カラーモード、写真モード、シャープネス機能がある。これらのモードや機能がユーザによって選択されたとき、原稿はカラー原稿又は写真原稿である場合が多く、ユーザはコピー画像の高画質化を望んでいる場合がおおい。従って、両面同時読取モードより両面反転読取モードによって原稿の読み取りが行われたほうが有効的である。
【００４９】
両面同時読取モードに適した機能として、文字モード、集約コピー、トナー節約コピー等がある。文字モードは文字のみの原稿をコピーする際に選択される機能であるが、この場合、高画質なコピーを要求するケースは少ない。従って、文字モードは、両面反転読取モードで読み取られた画像よりも画質は劣るが、読取時間の短縮化を図れる両面同時読取モードでの読み取りの方が適している。集約コピーは２枚以上の原稿を１枚に集約してコピーする機能であるが、読み取られた画像が縮小されてコピーされるため、コピーの高画質化を図っても効果が分かりにくい。従って、読取時間の短縮化を図れる両面同時読取モードでの読み取りの方が適している。更に、トナー節約コピーは、トナーの消費量を抑えて印刷を行うため、画像がやや薄く印刷され、試し印刷をする際に選択されることが多く、画像の高画質化を要求するケースは少ない。従って、両面同時読取モードでの読み取りの方が適している。
【００５０】
このモード別機能禁止テーブル６５１に記憶されている内容は、複合機１の工場出荷時に予め設定されてメモリ部６５に記憶されていてもよいし、ユーザが任意に設定可能なようにしてもよい。
【００５１】
通信部６６は、ネットワークインターフェースを用い、ネットワークを介して接続されたコンピュータやファクシミリ等の外部装置との間で種々のデータの送受信を行うものである。
【００５２】
図６〜９は、表示部５１の画面例を示したものであり、図１０はコピー処理の流れを示したフローチャートである。本実施の形態におけるコピー印刷の処理の流れを図６〜１０を用いて説明する。
【００５３】
複合機１のコピー機能が選択されており、更に両面同時ボタン５９がオフのとき、制御部６１は図６に示すような標準画面を表示部５１に表示させる。標準画面では紙サイズ選択、倍率選択、濃度選択等の操作キーの他、カラーモードキー１１１、文字モードキー１１２及び写真モードキー１１３等が表示される。更に、高画質モードキー１０１及び高速モードキー１０２が表示され、両面同時ボタン５９のオン／オフの他に、高画質モードキー１０１の押下によって両面同時読取モード、高速モード１０２の押下によって両面反転読取モードの選択が可能である。
【００５４】
両面同時ボタン５９がオフのとき（図１０のステップＳ１１；オフ）、つまり両面同時ボタン５９に示す点灯状態は図２に示すとおりであって両面反転読取モードが選択されているとき、制御部６１はモード別機能禁止テーブル６５１から両面同時読取モードに適している機能を読み出して、当該機能に対応するキーの選択入力の受付を禁止し、表示部５１に対して当該キーを薄く表示させる。尚、表示部５１がカラー画面である場合は色を変えて表示させたり、又は非表示としてもよい。本実施の形態では、文字モードキー１１２が薄く表示されている。同時に、制御部６１は高速モードキー１０２も薄く表示させ、このキーの選択入力の受付を禁止する。
【００５５】
更に、ユーザによって機能リストキー１２１が押下されると、制御部６１は図７に示すような機能リスト画面を表示部５１に表示させる。機能リスト画面では、複合機１が実現できる各種機能に対応したキーが表示される。そして、機能リスト画面においても、制御部６１は両面同時読取モードに適している機能に対応するキーを薄く表示させると共に、当該キーの選択入力の受付を禁止する。本実施の形態では、集約コピーキー１３１及びトナー節約コピーキー１３２が薄く表示されている。
【００５６】
一方、両面同時ボタン５９がオンのとき（ステップＳ１１；オン）、つまり両面同時ボタン５９の点灯状態は図３に示すとおりであって両面同時読取モードが選択されているとき、制御部６１は図８に示すような標準画面を表示部５１に表示させると共に、モード別機能禁止テーブル６５１から両面反転読取モードに適している機能を読み出して、当該機能に対応するキーを薄く表示させる。そして制御部６１は両面反転読取モードに適している機能に対応するキーの選択入力の受付を禁止する。本実施の形態では、カラーモードキー１１１及び写真モードキー１１３が薄く表示されている。同時に、制御部６１は高画質モードキー１０１も薄く表示させ、このキーの選択入力の受付を禁止する。
【００５７】
更に、ユーザによって機能リストキー１２１が押下されると、制御部６１は図９に示すような機能リスト画面を表示部５１に表示させ、機能リスト画面においても両面反転読取モードに適している機能に対応するキーを薄く表示させると共に、当該キーの選択入力の受付を禁止する。本実施の形態では、シャープネス調整キー１３３が薄く表示されている。
【００５８】
尚、両面同時ボタン５９の押下によって、読取モードの切り換えが行われ、同時に各機能キーの表示も切り換えられる。例えば、両面同時ボタン５９がオフの状態で制御部６１が図６に示す標準画面を表示部５１に表示させているとき、両面同時ボタン５９がユーザによって押下されると、制御部６１は読取モードを両面反転読取モードに切り換え、同時に図８に示す標準画面に表示部５１の表示を切り換える。つまり、両面反転読取モードのときは文字モードキー１１２が薄く表示されていたが、両面同時ボタン５９の押下によって両面同時読取モードに切り換わると、文字モードキー１１２は選択可能な表示に切り換わり、換わってカラーモードキー１１１と写真モードキー１１３が選択不可を示す薄い表示になる。
【００５９】
続いて、ユーザによって機能キーの押下がなされ（ステップＳ１４）、スタートボタン５５が押下されると（ステップＳ１５；ＹＥＳ）、制御部６１は原稿給紙部２１に原稿を取り込ませて、設定された読取モードに従ってスキャナ部２２及びＣＩＳ２３１に対して原稿の画像の読み取りを行わせる（ステップＳ１６）。そして画像処理部６４は、スキャナ部２２及びＣＩＳ２３１によって取得された画像データに対して、選択された機能キーに対応する画像処理を施し（ステップＳ１７）、画像処理後の画像データに基づいて記録部４０が印刷用紙に画像を形成する（ステップＳ１８）。
【００６０】
以上、説明したように、読取モードに応じて適切な機能を予め設定しておき、両面反転読取モードを選択しているときは両面同時読取モードでの読み取りが適切な機能キー、両面同時読取モードが選択されているときは両面反転読取モードでの読み取りが適切な機能キーの選択入力を禁止することにより、ユーザが適切でない機能を選択して読み取り・印刷を失敗してしまうことを防ぐことができる。更に、ユーザが視認しやすいように、選択できないキーを色を変えて表示、又は非表示とすることにより、ユーザの操作ミスを防ぐことができ、使い勝手を向上させることができる。
【図面の簡単な説明】
【００６１】
【図１】複合機の内部構成を模式的に示した縦断面図。
【図２】操作部の正面図。
【図３】操作部の正面図。
【図４】複合機の電気的構成を示すブロック図。
【図５】モード別機能禁止テーブルのデータ構成を示す図。
【図６】表示部の画面例。
【図７】表示部の画面例。
【図８】表示部の画面例。
【図９】表示部の画面例。
【図１０】コピー処理の流れを示したフローチャート。
【符号の説明】
【００６２】
１      複合機                        ３      装置本体
２      画像読取装置                  ５      操作部
２１    原稿給紙部                    ５１    表示部
２１１  原稿トレイ                    ５２    タッチパネル
２１２  給紙ローラ                    ５３    数字キー群
２１３  搬送ドラム                    ６１    制御部
２１４  排紙ローラ                    ６１１  ＡＣＳ部
２１５  排紙トレイ                    ６４    画像処理部
２１６  切替ガイド                    ４０    記録部
２１７  反転ローラ                    ６６    通信部
２１８  反転搬送路
２２    スキャナ部
２２２  光源
２２８  結像レンズ
２２９  ＣＣＤ
２３０  読取窓
２３１  ＣＩＳ
【図１】
2009088598.tif 000003
【図２】
2009088598.tif 000004
【図３】
2009088598.tif 000005
【図４】
2009088598.tif 000006
【図５】
2009088598.tif 000007
【図１０】
2009088598.tif 000008
【図６】
2009088598.tif 000009
【図７】
2009088598.tif 000010
【図８】
2009088598.tif 000011
【図９】
2009088598.tif 000012